(57)【要約】  【課題】  印刷用紙の探索が容易な画像処理システムを提供する。  【解決手段】  画像形成システム１は、印刷用紙６に付されたＩＣチップ７に、印刷を指示するジョブの識別情報（ジョブＩＤ）を書き込み、ＩＣチップ７に書き込まれたジョブＩＤを後処理装置３０の排出位置３００で読み出す。画像形成装置１は、読み出されたジョブＩＤに基づいて、各ジョブで排出された印刷用紙の堆積順序及びオフセットなどを特定しユーザに通知する。また、画像形成システム１は、ユーザの用紙取出し動作が検知された場合には、ジョブＩＤの再読出しを行い、印刷用紙の堆積順序などを更新する。【選択図】図５
2009080259.tif 000002
【特許請求の範囲】
【請求項１】
画像形成処理の処理要求に応じて、画像記録媒体に画像を形成する画像形成装置と、
前記画像記録媒体に付された情報記録媒体に対して、前記処理要求を識別する要求識別情報を書き込む情報書込み手段と、
前記画像記録媒体を排出する排出装置と、
前記排出装置から排出される画像記録媒体の情報記録媒体から、前記要求識別情報を読み出す情報読出し手段と
を有する画像形成システム。
【請求項２】
前記情報読出し手段により読み出された要求識別情報に基づいて、各処理要求で排出された画像記録媒体の枚数、オフセットに関する情報、及び、各処理要求で排出された画像記録媒体の堆積順序、の少なくとも１つを特定する特定手段と、
前記特定手段により特定された画像記録媒体の枚数、オフセットに関する情報、又は、堆積順序を操作者に通知する通知手段と
をさらに有する請求項１に記載の画像形成システム。
【請求項３】
前記情報書込み手段及び前記情報読出し手段は、画像形成装置に接続された複数の排出装置それぞれに設けられており、
前記特定手段は、前記画像形成装置に設けられ、前記情報読出し手段から取得した要求識別情報に基づいて、各処理要求に対応する画像記録媒体が排出された排出位置を特定する
請求項２に記載の画像形成システム。
【請求項４】
前記情報読出し手段は、各処理要求に対応する画像記録媒体が前記排出装置によって排出されたタイミングで、画像記録媒体に付された情報記録媒体から、要求識別情報を読み出し、
前記特定手段は、前記要求識別情報の読出し順序に基づいて、各処理要求に対応する画像記録媒体の堆積順序を特定する
請求項２に記載の画像形成システム。
【請求項５】
前記画像形成装置は、各処理要求に対応する画像形成処理の最初又は最後の画像記録媒体として、情報記録媒体が付された画像記録媒体を使用する
請求項１に記載の画像形成システム。
【請求項６】
画像記録媒体の排出位置から画像記録媒体を取り出す動作を検知する動作検知手段
をさらに有し、
前記情報読出し手段は、前記動作検知手段により前記取出し動作が検知された場合に、画像記録媒体に付された情報記録媒体から、情報を読み出し、
前記特定手段は、前記情報読出し手段により読み出された直近の情報を利用する
請求項２に記載の画像形成システム。
【請求項７】
前記通知手段は、前記特定手段により特定された情報を画像記録媒体に形成するよう前記画像形成装置を制御し、この画像記録媒体を前記排出装置の既定の排出位置へ排出させる
請求項２に記載の画像形成システム。
【請求項８】
画像記録媒体の排出位置から画像記録媒体を取り出す動作を検知する動作検知手段と、
前記動作検知手段により前記取出し動作が検知された場合に、前記排出位置にある画像記録媒体に付された情報記録媒体から、情報を読み出す情報読出し手段と、
前記情報読出し手段により読み出された情報に基づいて、前記排出位置に残されている画像記録媒体に関する情報を操作者に通知する通知手段と
を有する画像形成システム。
【請求項９】
画像形成処理の処理要求に応じて、画像記録媒体に画像を形成し、
画像が形成された前記画像記録媒体に付された情報記録媒体に対して、前記処理要求を識別する要求識別情報を書き込み、
画像が形成された前記画像記録媒体を所定の排出位置に排出し、
排出された前記画像記録媒体の情報記録媒体から、前記要求識別情報を読み出し、
読み出された前記要求識別情報に基づいて、各処理要求で排出された画像記録媒体の枚数、オフセットに関する情報、及び、各処理要求で出力された画像記録媒体の堆積順序、の少なくとも１つを特定する
媒体管理方法。
【発明の詳細な説明】
【技術分野】
【０００１】
本発明は、画像形成システムに関する。
【背景技術】
【０００２】
例えば、特許文献１には、排紙トレイのＲＦＩＤリーダによって印刷物を綴じているＲＦＩＤ付クリップのＲＦＩＤを読み取り、その読み取りに変化がないまま所定時間が経過すると、印刷物の放置状態を警告する画像形成装置が開示されている。
【特許文献１】特開２００５−２０１９６８号公報
【発明の開示】
【発明が解決しようとする課題】
【０００３】
本発明は、画像記録媒体の取出しを容易にすることを目的とする。
【課題を解決するための手段】
【０００４】
請求項１に係る本発明は、画像形成処理の処理要求に応じて、画像記録媒体に画像を形成する画像形成装置と、前記画像記録媒体に付された情報記録媒体に対して、前記処理要求を識別する要求識別情報を書き込む情報書込み手段と、前記画像記録媒体を排出する排出装置と、前記排出装置から排出される画像記録媒体の情報記録媒体から、前記要求識別情報を読み出す情報読出し手段とを有する。
【０００５】
請求項２に係る本発明は、前記情報読出し手段により読み出された要求識別情報に基づいて、各処理要求で排出された画像記録媒体の枚数、オフセットに関する情報、及び、各処理要求で排出された画像記録媒体の堆積順序、の少なくとも１つを特定する特定手段と、前記特定手段により特定された画像記録媒体の枚数、オフセットに関する情報、又は、堆積順序を操作者に通知する通知手段とをさらに有する。
【０００６】
請求項３に係る本発明では、前記情報書込み手段及び前記情報読出し手段は、画像形成装置に接続された複数の排出装置それぞれに設けられており、前記特定手段は、前記画像形成装置に設けられ、前記情報読出し手段から取得した要求識別情報に基づいて、各処理要求に対応する画像記録媒体が排出された排出位置を特定する。
【０００７】
請求項４に係る本発明では、前記情報読出し手段は、各処理要求に対応する画像記録媒体が前記排出装置によって排出されたタイミングで、画像記録媒体に付された情報記録媒体から、要求識別情報を読み出し、前記特定手段は、前記要求識別情報の読出し順序に基づいて、各処理要求に対応する画像記録媒体の堆積順序を特定する。
【０００８】
請求項５に係る本発明では、前記画像形成装置は、各処理要求に対応する画像形成処理の最初又は最後の画像記録媒体として、情報記録媒体が付された画像記録媒体を使用する。
【０００９】
請求項６に係る本発明は、画像記録媒体の排出位置から画像記録媒体を取り出す動作を検知する動作検知手段をさらに有し、前記情報読出し手段は、前記動作検知手段により前記取出し動作が検知された場合に、画像記録媒体に付された情報記録媒体から、情報を読み出し、前記特定手段は、前記情報読出し手段により読み出された直近の情報を利用する。
【００１０】
請求項７に係る本発明では、前記通知手段は、前記特定手段により特定された情報を画像記録媒体に形成するよう前記画像形成装置を制御し、この画像記録媒体を前記排出装置の既定の排出位置へ排出させる。
【００１１】
請求項８に係る本発明は、画像記録媒体の排出位置から画像記録媒体を取り出す動作を検知する動作検知手段と、前記動作検知手段により前記取出し動作が検知された場合に、前記排出位置にある画像記録媒体に付された情報記録媒体から、情報を読み出す情報読出し手段と、前記情報読出し手段により読み出された情報に基づいて、前記排出位置に残されている画像記録媒体に関する情報を操作者に通知する通知手段とを有する。
【００１２】
請求項９に係る本発明は、画像形成処理の処理要求に応じて、画像記録媒体に画像を形成し、画像が形成された前記画像記録媒体に付された情報記録媒体に対して、前記処理要求を識別する要求識別情報を書き込み、画像が形成された前記画像記録媒体を所定の排出位置に排出し、排出された前記画像記録媒体の情報記録媒体から、前記要求識別情報を読み出し、読み出された前記要求識別情報に基づいて、各処理要求で排出された画像記録媒体の枚数、オフセットに関する情報、及び、各処理要求で出力された画像記録媒体の堆積順序、の少なくとも１つを特定する。
【発明の効果】
【００１３】
本発明によれば、画像記録媒体の取出しが容易になる。
【発明を実施するための最良の形態】
【００１４】
図１は、画像形成システム１を例示する図である。
図１に例示するように、画像形成システム１は、画像形成装置１０、及び、複数の後処理装置３０を有する。
画像形成装置１０は、各後処理装置３０と、直接又は間接的に接続されている。
画像形成装置１０には、給紙装置２０、操作部４０、及び制御装置１００が設けられている。制御装置１００は、例えば、画像形成装置１０の各構成（プリントエンジンなど）の他に、給紙装置２０、後処理装置３０、及び操作部４０などを制御する。
【００１５】
給紙装置２０は、制御部１００からの制御信号に応じて、画像形成装置１０のプリントエンジンに画像記録媒体（以下、印刷用紙）を供給する。
本例の給紙装置２０Ａには、ＩＣチップ７が付された印刷用紙６がセットされており、給紙装置２０Ｂには、ＩＣチップ７が付されていない印刷用紙がセットされている。
【００１６】
後処理装置３０は、制御装置１００からの制御信号に応じて、画像形成装置１０により画像が形成された印刷用紙に対して、後処理を施し、後処理が施された印刷用紙を所定の排出位置３００に排出する。
なお、本例の後処理装置３０Ａ〜３０Ｃは、本発明に係る排出装置の具体例である。
【００１７】
各後処理装置３０には、ＩＣチップ７（後述）に対して情報の書込みを行う書込み装置３１０と、排出位置３００に積載された印刷用紙のＩＣチップ７から情報の読出しを行う読出し装置３２０とが設けられている。
本例の書込み装置３１０は、用紙搬送路（図１の黒い太線）の近傍に設けられ、搬送中（排出直前）の印刷用紙に付されたＩＣチップ７に対して、情報を書き込む。また、本例の読出し装置３２０は、排出位置３００の近傍に設けられ、排出位置３００に積載された印刷用紙のＩＣチップ７から、情報を読み出す。
操作部４０は、例えば、タッチパネルなどのユーザインタフェース装置である。
【００１８】
図２は、ＩＣチップ７が付された印刷用紙６を例示する図である。
図３は、図２に示したＩＣチップ７の構成を示す図である。
図２に例示するように、印刷用紙６の周縁部には、ＩＣチップ７が付されている。
図３に例示するように、このＩＣチップ７は、アンテナ７００、クロック再生回路７２０、メモリ回路７２２、データ送受信回路７２４及び電源回路７２６から構成される。
なお、印刷用紙６のＩＣチップ７が、書込み装置３１０及び読出し装置３２０のごく近傍を通過することが保証されている場合には、アンテナ７００を有しないＩＣチップ７が用いられる場合がある。
【００１９】
図４（Ａ）は、図１に示した書込み装置３１０の構成を例示し、図４（Ｂ)は、図１に示した読出し装置３２０の構成を例示する図である。
図４（Ａ）に示すように、書込み装置３１０は、送受信制御回路３１２、送信回路３１４、受信回路３１６、及び変調回路３１８から構成される。
また、図４（Ｂ）に示すように、読出し装置３２０は、送受信制御回路３２２、送信回路３２４、受信回路３２６、及び復調回路３２８から構成される。
以下に説明するＩＣチップ７と書込み装置３１０又は読出し装置３２０との各構成部分の動作により、ＩＣチップ７に情報（データ）が非接触で書き込まれ、ＩＣチップ７に記憶された情報が非接触で読み取られる。
【００２０】
ＩＣチップ７（図３）において、電源回路７２６は、アンテナ７００を介して供給される電波信号を整流して、ＩＣチップ７の各構成部分に対して、それらの動作に必要な電力を供給する。
【００２１】
クロック再生回路７２０は、アンテナ７００を介して書込み装置３１０又は読出し装置３２０から供給される電波信号から、クロック信号を再生し、メモリ回路７２２及びデータ送受信回路７２４に対して出力する。
【００２２】
メモリ回路７２２は、例えば不揮発性のＲＡＭであって、クロック再生回路７２０から入力されたクロック信号に同期して、データ送受信回路７２４から入力される情報を示すデータを記憶する。
また、メモリ回路７２２は、上記クロック信号に同期して、記憶した情報を示すデータを、データ送受信回路７２４に対して出力する。
【００２３】
データ送受信回路７２４は、アンテナ７００から入力される電波信号からデータを復調し、クロック再生回路７２０から入力されるクロック信号に同期して、メモリ回路７２２に対して出力する。
また、データ送受信回路７２４は、メモリ回路７２２から入力されるデータの値に従って、書込み装置３１０又は読出し装置３２０側から供給される電波信号の反射強度を、上記クロック信号に同期して変更する。
このように、メモリ回路７２２が記憶した情報を示すデータは、読出し装置３２０からＩＣチップ７に対して送信された電波信号の反射信号の強度を変更することにより、ＩＣチップ７から読出し装置３２０に対して送信される。
【００２４】
書込み装置３１０（図４（Ａ））において、送受信制御回路３１２は、書込み装置３１０の各構成部分の動作を制御する。
また、送受信制御回路３１２は、制御装置１００（図１）から入力されるデータ（ジョブＩＤ）を、変調回路３１８に対して出力する。
【００２５】
変調回路３１８は、送受信制御回路３１２から入力されるデータで電波信号を変調し、送信回路３１４に対して出力する。
【００２６】
送信回路３１４は、ＩＣチップ７に記憶させるデータ及びクロック信号などを含む電波信号を、アンテナを介して、ＩＣチップ７に対して送信する。
【００２７】
受信回路２８６は、ＩＣチップ３側からの反射信号を受信し、送受信制御回路３１２に対して出力し、送受信制御回路３１２は、データの書込みが正常になされたか否かを確認する。
【００２８】
読出し装置３２０（図４（Ｂ））において、送受信制御回路３２２は、読出し装置３２０の各構成部分の動作を制御する。
また、送受信制御回路３２２は、受信回路３２６により受信され、復調回路３２８により復調されたデータ（ジョブＩＤ）を、制御装置１００（図１）に対して出力する。
送信回路３２４は、クロック信号などを含む電波信号を、アンテナを介して、ＩＣチップ７に対して送信する。
【００２９】
受信回路３２６は、ＩＣチップ７側からの反射信号を受信し、復調回路３２８に対して出力する。
【００３０】
復調回路３２８は、受信回路３２６から入力される反射信号の変化から、ＩＣチップ７が送信したデータ（ジョブＩＤ）を復調し、送受信制御回路３２２に対して出力する。
【００３１】
次に、画像形成システム１の動作例を説明する。まず、印刷処理を行うようユーザに要求された場合の動作を説明する。
図５は、印刷時における画像形成システム１の動作（Ｓ１０)を例示するフローチャートである。
図５に示すように、ステップ１００（Ｓ１００）において、画像形成装置１０の制御装置１００は、ユーザからジョブが投入されると、このジョブに応じて、画像形成システム１の各構成を制御して、印刷処理を開始させる。
ここで、ジョブとは、画像形成処理の処理要求であり、例えば、図６（Ａ)に例示するように、印刷すべき画像データ、印刷部数、印刷用紙を指定する用紙指定情報、後処理を指定する後処理指定情報などが含まれている。
ジョブは、ユーザのコンピュータ端末から、ＬＡＮなどのネットワークを介して画像形成装置１０に送信されてもよいし、操作部４０（図１）から直接入力されてもよい。
【００３２】
ステップ１０５（Ｓ１０５）において、制御装置１００は、給紙装置２０Ａに対して、ＩＣチップ７が付された印刷用紙６を供給するよう指示する。
給紙装置２０Ａは、制御装置１００からの指示に応じて、ＩＣチップ７が付された印刷用紙６を、画像形成装置１０のプリントエンジンに搬送する。
すなわち、本例の画像形成システム１は、各ジョブの先頭ページに、ＩＣチップ７が付された印刷用紙６を用いる。なお、ＩＣチップ７が付された印刷用紙６は、各ジョブの最後のページに用いられてもよい。
【００３３】
ステップ１１０（Ｓ１１０）において、画像形成装置１０のプリントエンジンは、ジョブに含まれていた画像データを用いて、給紙装置２０Ａから搬送されてきた印刷用紙６に画像を印刷する。画像が印刷された印刷用紙６は、ジョブの後処理指定情報に応じて、所定の後処理装置３０に搬送される。
【００３４】
ステップ１１５（Ｓ１１５）において、印刷用紙６が搬送された後処理装置３０は、制御装置１００からの指示に応じて、この印刷用紙６に対して後処理を施す。
ステップ１２０（Ｓ１２０）において、後処理装置３０は、制御装置１００からの指示に応じて、後処理が施された印刷用紙６を排出位置３００に排出する。
【００３５】
ステップ１２５（Ｓ１２５）において、この後処理装置３０の書込み装置３１０は、排出位置３００に排出される印刷用紙６のＩＣチップ７に対して、制御装置１００から受信したジョブＩＤを書き込む。ジョブＩＤとは、ジョブを識別する情報である。
【００３６】
ステップ１３０（Ｓ１３０）において、制御装置１００は、ジョブにより指定された印刷処理が全て完了したか否かを判断し、未処理のページが存在する場合には、Ｓ１３５の処理に移行し、全て完了した場合には、Ｓ１４５の処理に移行する。
【００３７】
ステップ１３５（Ｓ１３５）において、制御装置１００は、給紙装置２０Ｂに対して、ＩＣチップ７が付されていない印刷用紙を次の印刷処理のために供給するよう指示する。
給紙装置２０Ｂは、制御装置１００からの指示に応じて、印刷用紙を画像形成装置１０のプリントエンジンに搬送する。
ステップ１４０（Ｓ１４０）において、画像形成装置１０のプリントエンジンは、次のページの画像を、給紙装置２０Ｂから搬送されてきた印刷用紙に印刷し、この印刷用紙を後処理装置３０に搬送する。
後処理装置３０は、画像形成装置１０から搬送されてきた印刷用紙に対して後処理を施し、後処理が施された印刷用紙を排出位置３００に排出する。これにより、ＩＣチップ７が付された先頭の印刷用紙６の上に、ＩＣチップ７が付されていない印刷用紙（２ページ目以降）が積み重なっていく。
制御装置１００は、Ｓ１３０の処理に戻って、ジョブに含まれている画像データの全ページを全部数印刷し終わるまで、Ｓ１３５及びＳ１４０の処理を繰り返す。
【００３８】
ステップ１４５（Ｓ１４５）において、読出し装置３２０は、排出位置３００に積載された印刷用紙６のＩＣチップ７から、ジョブＩＤを読み出し、読み出されたジョブＩＤを制御装置１００に出力する。すなわち、本例の読出し装置３２０は、ジョブが終了する度に、排出位置３００に積載された印刷用紙から、ジョブＩＤの読出しを試みて、読み出されたジョブＩＤをその都度、制御装置１００に出力する。
【００３９】
ステップ１５０（Ｓ１５０）において、制御装置１００（特定手段）は、読出し装置３２０から入力されたジョブＩＤに基づいて、各ジョブで排出された印刷用紙の排出位置、各ジョブの印刷枚数（印刷用紙の枚数）、各ジョブのオフセットに関する情報、及び、各ジョブに対応する印刷用紙の堆積順序（以下、特定情報と総称する）を特定する。オフセットとは、印刷用紙で相対的にずらすことであり、例えば、ジョブとジョブの境目で印刷用紙の積載位置をずらすものや、複数部の印刷を行う場合に部毎に積載位置をずらすものがある。
特定情報を特定する具体的方法としては、例えば、制御装置１００は、ユーザから投入されたジョブをジョブＩＤに対応付けて保持しており、読出し装置３２０から入力されたジョブＩＤに基づいて、対応するジョブを検索し、ジョブの内容（画像データのページ数、印刷部数）に基づいて、各ジョブに対応する印刷枚数を特定する。また、排出位置は、同様に、ジョブの内容（排出位置情報）に基づいて特定される。また、各ジョブに対応する印刷用紙の堆積順序は、図６（Ｂ）に例示するように、各排出位置３００で読み出されたジョブＩＤの読出し順序によって、特定される。例えば、排出位置Ａから、ジョブ１の実行時に、排出位置Ａから「ジョブ１」のみが読み出され、ジョブ２の実行時に、「ジョブ１」と「ジョブ２」が読み出され、ジョブ５の実行時に、「ジョブ１」と「ジョブ２」と「ジョブ５」が読み出された場合には、排出位置Ａには、「ジョブ１」の印刷用紙、「ジョブ２」の印刷用紙、「ジョブ５」の印刷用紙が順に堆積していることが特定される。さらには、ジョブ毎のオフセットが指定されている場合には、堆積順序によって、ジョブ毎のオフセットが特定される。また、ジョブ内のオフセット（例えば、各部ごとのオフセット）に関しては、後処理指定情報に含まれるオフセット情報により特定される。
【００４０】
ステップ１５５（Ｓ１５５）において、制御装置１００は、特定情報（各ジョブで印刷された印刷用紙の排出位置、各ジョブの印刷枚数、各ジョブの印刷用紙のオフセット位置、各ジョブに対応する印刷用紙の堆積順序）を、操作部４０又はユーザのコンピュータ端末に表示させる。例えば、図７に例示するように、操作部４０（通知手段）が、各排出位置における印刷用紙の堆積状況を、各ジョブに対応付けて表示する。本図では、各ジョブの印刷用紙の厚み及びオフセット位置が模式的に表現されており、各ジョブの印刷用紙の横に、印刷枚数（「１００枚」など）が表示されている。さらに、ジョブＩＤが読み出された日時も表示される。
なお、ジョブ内でオフセットされている場合（例えば、部毎のオフセットがジョブで指定された場合）には、図８に例示するように、ジョブ内のオフセットも模式的に表現されるようにしてもよい。
【００４１】
次に、後処理装置３０から印刷用紙を取り出す動作が検出された場合の画像形成システム１の動作を説明する。
図９は、印刷用紙の取出し動作が検知された場合の画像形成システム１の動作（Ｓ２０)を例示するフローチャートである。
図９に示すように、ステップ２００（Ｓ２００）において、後処理装置３０には、印刷用紙の取出し動作（例えば、用紙取出しドアの開閉動作）を検知するセンサが設けられている。
この後処理装置３０のセンサは、ユーザの取出し動作を検知すると、その旨を画像形成装置１０の制御装置１００に出力する。
制御装置１００は、ユーザの取出し動作が検知された旨を入力されると、Ｓ２０５の処理に移行する。
【００４２】
ステップ２０５（Ｓ２０５）において、制御装置１００は、取出し動作が検知された後処理装置３０の読取り装置３２０に対して、ジョブＩＤの読出しを指示する。
読出し装置３２０は、制御装置１００からの指示に応じて、ジョブＩＤの読出しを試みる。なお、ＩＣチップ７が付された印刷用紙６がこの後処理装置３０に残っている場合には、ジョブＩＤが読出し装置３２０により読み出されることになる。
【００４３】
ステップ２１０（Ｓ２１０）において、制御装置１００は、読出し装置３２０により読み出されたジョブＩＤに基づいて、各ジョブに対応する印刷枚数、オフセットに関する情報、及び、各ジョブに対応する印刷用紙の堆積順序を特定する。本例の制御装置１００は、今回読み出されたジョブＩＤと、前回読み出されたジョブＩＤとを比較して、読み出されたジョブＩＤに変化があるか否かを判断し、変化がない場合には、前回特定された情報をそのまま保持し、変化があった場合には、そのジョブＩＤの変化（ジョブＩＤの減少）に応じて、各ジョブに対応する印刷枚数、オフセットに関する情報、及び、各ジョブに対応する印刷用紙の堆積順序を更新する。
【００４４】
ステップ２１５（Ｓ２１５）において、制御装置１００は、特定された情報に基づいて、図１０に例示するように、操作部４０で表示される表示画面を更新させる。本図の例では、前回の読出しと比較して、ジョブＡに対応するジョブＩＤが減少しているため、制御装置１００は、ジョブＡに対応する印刷用紙が排出位置３００から取り出されたと判定し、ジョブＡの印刷用紙が取り出された状態の表示に更新している。
【００４５】
このように、画像形成システム１は、ユーザの取出し動作を検知したことを条件として、ジョブＩＤの再読出しを行うことにより、印刷用紙の取出しに応じて、通知内容を更新することができる。
【図面の簡単な説明】
【００４６】
【図１】画像形成システム１を例示する図である。
【図２】ＩＣチップ７が付された印刷用紙６を例示する図である。
【図３】図２に示したＩＣチップ７の構成を示す図である。
【図４】（Ａ）は、図１に示した書込み装置３１０の構成を例示し、（Ｂ)は、図１に示した読出し装置３２０の構成を例示する図である。
【図５】印刷時における画像形成システム１の動作（Ｓ１０)を例示するフローチャートである。
【図６】（Ａ）は、ジョブに含まれる情報を例示し、（Ｂ）は、ジョブの読出し順序を例示する図である。
【図７】操作部４０の表示画面の第１例である。
【図８】操作部４０の表示画面の第２例（ジョブ内のオフセットが表現された画面）である。
【図９】印刷用紙の取出し動作が検知された場合の画像形成システム１の動作（Ｓ２０)を例示するフローチャートである。
【図１０】操作部４０の表示画面の第３例（取出し動作で更新された画面）である。
【符号の説明】
【００４７】
１・・・画像形成システム
１０・・・画像形成装置
１００・・・制御装置
２０・・・給紙装置
３０・・・後処理装置
３００・・・排出位置
３１０・・・書込み装置
３２０・・・読出し装置
４０・・・操作部
６・・・印刷用紙
７・・・ＩＣチップ
【図１】
2009080259.tif 000003
【図２】
2009080259.tif 000004
【図３】
2009080259.tif 000005
【図４】
2009080259.tif 000006
【図５】
2009080259.tif 000007
【図６】
2009080259.tif 000008
【図７】
2009080259.tif 000009
【図８】
2009080259.tif 000010
【図９】
2009080259.tif 000011
【図１０】
2009080259.tif 000012